(57)【要約】    【課題】  盛土補強材として埋設された可とう性網状補強材の引抜き抵抗力が非常に大きく、きわめて安定した補強土壁構造物を提供する。    【解決手段】  一定の層厚ごとに盛土を撒き出し、かつ前記盛土層内に盛土補強材として可とう性網状補強材４を一定の層厚ごとに複数層に埋設する。可とう性網状補強材４は複数の可とう性金属線材４ｂ，４ｂを擁壁２の延長方向に並列に延在すると共に、隣り合う各可とう性金属線材４ｂ，４ｂどうしを、当該可とう性金属線材４ｂ，４ｂに作用する張力Ｐによって網目ａが縮径するように一定間隔おきにねじり寄り合わせてきっ甲形の網目状に形成する。【選択図】            図１
2005146623.tif 000002
【特許請求の範囲】
【請求項１】
一定の層厚ごとに盛土を撒き出し、該盛土層内に一定の層厚ごとに可とう性網状補強材を複数層に埋設してなる補強土壁構造物において、前記可とう性網状補強材は複数の可とう性金属線材を前記補強土壁の延長方向に並列に延在すると共に、隣り合う各可とう性金属線材どうしを一定間隔おきにねじり寄り合わせるか、または絡み合わせて網状に形成してなることを特徴とする補強土壁構造物。
【請求項２】
可とう性網状補強材はきっ甲形網目またはひし形網目の網状に形成されてなることを特徴とする請求項１記載の補強土壁構造物。
【請求項３】
盛土の先端に壁面材を積層し、当該壁面材に可とう性網状補強材の端部が定着されてなることを特徴とする請求項１または２記載の補強土壁構造物。
【請求項４】
壁面材はコンクリートパネル、コンクリートブロック、断面コ字状またはＬ字状に形成された網状枠材または箱状に形成されたかご材であることを特徴とする請求項３記載の補強土壁構造物。
【請求項５】
可とう性網状補強材の先端側が盛土内に巻き込んで定着されてなることを特徴とする請求項１または２記載の補強土壁構造物。
【請求項６】
可とう性網状補強材の端部を巻き込み、その中に土のうを設置してなることを特徴とする請求項１または２記載の補強土壁構造物。
【請求項７】
壁面材を積層しつつ一定の層厚ごとに盛土を撒き出し、当該盛土内に一定の層厚ごとに可とう性網状補強材を複数層に埋設してなる補強土壁構造物の施工方法において、前記可とう性網状補強材の盛土側をその上に盛土を撒き出し、転圧しつつ固定し、次に前記可とう性網状補強材の壁面材側を該壁面材の背部に取り付けられた定着部材に定着し、該定着部材を壁面材側に移動させて前記可とう性網状補強材を緊張することを特徴とする補強土壁構造物の施工方法。
【請求項８】
可とう性網状補強材の盛土側を凹凸状に起伏させて埋設することを特徴とする請求項７記載の補強土壁構造物の施工方法。
【発明の詳細な説明】
【技術分野】
【０００１】
本願発明は擁壁や土留め壁、さらには堤防や防波堤などとして構築される補強土壁構造物およびその施工方法に関するものである。
【背景技術】
【０００２】
補強土工法として、例えば図２０に図示するようにコンクリート製の壁面パネル３０を複数層に積層しつつ、その背面側に砂質土を主とする盛土（裏込め土）３１を一定の層厚ごとに撒き出し、充分に転圧した後、盛土補強材３２として一定の層厚ごとに高分子材料からなる網状補強材、例えば合成樹脂製のジオグリッド、或いは鉄筋を溶接してなる鉄筋グリッドやエキスパンドメタル等を埋設し、その先端側を壁面パネル３０に定着して擁壁などの補強土壁構造物を構築する補強土工法が知られている（特許文献Ｉ参照）。
【０００３】
この種の補強土工法においては、盛土はそれ自体引張強度を有しないため、引張強度をもつ盛土補強材３２を盛土３１内に埋設し、盛土３１と盛土補強材３２とを双方の摩擦力により一体化させて引張力を付与した盛土を土構造物として用いている。
【０００４】
すなわち、盛土補強材３２に引張力が作用すると、その原理から盛土補強材３２に伸びが生じ、その引張力が盛土３１に付与されることにより盛土３１の安定を図ることができる。
【特許文献１】特開平６−２２０８６１号
【発明の開示】
【発明が解決しようとする課題】
【０００５】
しかし、盛土補強材３２を用いて盛土３１に引張力を付与する場合、盛土補強材３２が側方向に伸びてはじめて可能なことがこの種の補強土工法の原理であることから、盛土補強材３２としてジオグリッド等の高分子材料を用いた補強土は変形が大きいことが宿命であり、また欠点でもある。
【０００６】
そのため、変形が問題になる土構造物や土留め壁にジオグリッド等の高分子材料を盛土補強材３２として使用することは適当でない。
【０００７】
また、盛土補強材３２としてジオグリッド等の高分子材料が用いられている場合、高分子材料は変形性に富むことから盛土３１の転圧の際は盛土３１とよくなじむため入念に転圧できるものの、伸びが大きすぎて壁面が土圧によって大きく変位する等して盛土の安定性からも美観上からも問題がある。
【０００８】
特にジオグリッドは、素材そのものの伸びが大きいだけでなく、縦糸と横糸とを各交点で接着または一体的に固着して網状に形成されているため、また補強土壁構造物の延長方向に対してほぼ直角方向に縦糸を、構造物の延長方向と平行方向に横糸をそれぞれ配置して四角形の網目状に形成された各網目には、土粒子を拘束する機能が少なく、その補強効果は主に盛土とジオグリッドとの摩擦力によるものであるため引抜き抵抗力は小さい。
【０００９】
また、多数の糸を接着して帯状にし、その帯状体を横方向と縦方向に交差させ、その交点を接着剤によって固着して網状体としたタイプのジオグリッドを用いる場合、縦方向の帯状体が補強土壁体の延長方向と垂直になるように盛土内に埋設する方法がとられているが、この場合は、縦方向の帯状体に引張力が作用すると横方向の帯状体が交点で容易に剥離してしまい、網状体としての機能が保持できなくなるという問題があった。
【００１０】
また、盛土補強材として例えば複数の長手鉄筋（補強土壁構造物の延長方向に対してほぼ直角方向に延在された鉄筋）と横手鉄筋（補強土壁構造物の延長方向と平行に延在された鉄筋）から格子状に形成された鉄筋グリットを用いた場合、長手鉄筋と横手鉄筋が各交点部において溶接によって剛結合されていることから、引抜き力が作用すると横手鉄筋に抵抗土圧が作用し、大きな曲げモーメントが発生する。
【００１１】
この曲げ応力に耐えるためには横手鉄筋の径を大きくするか、長手鉄筋の間隔を小さくする等の必要があるため、必要な引き抜き力に対応する引張強度に比べて大量の鉄筋を必要とし、また横手鉄筋と長手鉄筋との交点に応力集中が生じやすくなる等の問題がある。
【００１２】
また、エキスパンドメタルを用いた場合も、エキスパンドメタルは鉄板から形成されていることから、可とう性がないので交点部に応力集中が生じて破壊しやすい等の問題がある。
【００１３】
このように鉄筋グリットやエキスパンドメタルを盛土補強材として用いた場合、これらの引張強度は大きいものの各網目の交点の変形がなく、しかも材質そのものの剛性が大きいため、その引き抜き抵抗力は盛土との摩擦力で決まり、そのため引き抜き抵抗力は小さく、盛土のように変形の大きな補強土壁構造においては、土との一体性が得られにくく、したがって鉄筋グリットやエキスパンドメタルの持つ引張力を盛土に十分付与するのが困難になる。
【００１４】
さらに、盛土の転圧や土圧によって変位が大きくなると、鉄筋グリットやエキスパンドメタルに応力集中が発生しやすくなる等の問題がある。
【課題を解決するための手段】
【００１５】
請求項１記載の補強土壁構造物は、一定の層厚ごとに盛土を撒き出し、かつ前記盛土内に盛土補強材として一定の層厚ごとに可とう性網状補強材を複数層に埋設してなる補強土壁構造物において、前記可とう性網状補強材は複数の可とう性金属線材を前記補強土壁の延長方向に並列に延在すると共に、前記可とう性金属線材に作用する張力によって網目が縮径するように、隣り合う各可とう性金属線材どうしを一定間隔おきにねじり寄り合わせるか、または絡み合わせて網状に形成してなることを特徴とするものである。
【００１６】
本願発明は上記した構成により、例えば図２に図示するように、盛土の沈下や移動などによって可とう性網状補強材に引張力Ｐが作用した場合、可とう性網状補強材の各可とう性金属線材が各交差部においてその軸方向に互いにスライドして各網目ａが縮径することにより、すなわち、各網目ａがわずかであるが絞り込まれることにより各網目ａ内の土粒子ｂが締め固められてクサビ状に形成され、このクサビ状に締め固められた土粒子ｂのクサビ作用によって引き抜き抵抗力Ｆが引張力Ｐの反対方向に生ずるため（図２参照）、可とう性網状補強材の伸びや変形が初期のうちから抑制される。
【００１７】
特に、引張力Ｐは可とう性金属線材が補強土壁の延長方向に並列に延存しているため継ぎ目がなく、かつ互いに隣接している金属線材はわずかに可動性を有するため、引張応力が均等化され、各網目ａ内でクサビ状に締め固められた無数の土粒子ｂに分散されるため、可とう性網状補強材が応力集中によって部分的に破断することもない。
【００１８】
また、可とう性網状補強材に作用する引張力Ｐによって各網目ａが縮径して網目ａ内の土粒子ｂとかみ合い、引張力Ｐによる可とう性網状補強材の伸びや変形が抑制されることにより、盛土の転圧の際および転圧後の可とう性網状補強材の伸びや変形が抑制されるため、盛土の沈下、移動および壁面材の変位等を抑えることができ、非常に安定した補強土壁構造物を構築することができる。
【００１９】
従来、盛土補強材として合成樹脂からなるジオテキスタイル等を盛土内に単に水平に埋設した場合、引抜き抵抗力は盛土との摩擦抵抗力のみによって得られるにすぎないが、本願発明においては、可とう性網状補強材の各網目ａが縮径して網目ａ内の土粒子ｂとかみ合うことにより、転圧盛土そのもののせん断抵抗力が可とう性網状補強材と盛土との摩擦抵抗力に加わるため、盛土補強材としての可とう性網状補強材の引き抜き抵抗力Ｆは大幅に増すことになる。
【００２０】
また、可とう性網状補強材が、複数の可とう性金属線材を壁面の延長方向に並列に延在すると共に、隣り合う各可とう性金属線材どうしを一定間隔おきにねじり寄り合わせたり（図２（ｃ））、または相反する方向に「く」の字状に曲げ、互いに絡み合わせる（図３（ｃ））等して網状に形成されていることで、可とう性網状補強材の各網目は交点でわずかであるが可動性を有するため、引張力が等分化され、かつ盛土の沈下や圧縮に順応して盛土内の敷設部で上下の盛土層と一体化される。
【００２１】
このような構成により、可とう性網状補強材に引張力Ｐが作用した場合、可とう性金属線材には鉄筋グリット等のように横方向の鉄筋に曲げが生じて曲げ破壊が生じたり、或いは剛結した交点に応力集中が生じて破壊するということが起きにくく、可とう性金属線材の引張力だけを利用して盛土の補強に効果的に機能させることができる。
【００２２】
さらに可とう性網状補強材の各網目ａに可動性があるため、可とう性網状補強材に引張力Ｐが作用すると、その間の土粒子ｂを締め付け拘束して一体化させ、その結果、土と可とう性網状補強材との摩擦力よりもはるかに大きな土そのもののせん断強度を有する。
【００２３】
請求項２記載の補強土壁構造物は、請求項１記載の補強土壁構造物において、可とう性網状補強材はきっ甲形網目またはひし形網目の網状に形成されてなることを特徴とするものである。
【００２４】
請求項３記載の補強土壁構造物は、請求項１または２記載の補強土壁構造物において、盛土の先端に壁面材を積層し、当該壁面材に可とう性網状補強材の端部を定着してなることを特徴とするものである。この場合の壁面材としては、金属製、コンクリート製、木製、合成樹脂製、布製などの壁面材を用いることができる。
【００２５】
請求項４記載の補強土壁構造物は、請求項３記載の補強土壁構造物において、壁面材はコンクリートパネル、コンクリートブロック、断面コ字状またはＬ字状に形成された網状枠材または箱状に形成されたかご材であることを特徴とするものである。この場合のかご材には鉄筋グリットや金網などから積層可能な箱状に工場生産されたものや、現地で金網を曲げ加工して積層可能な箱状に簡単に形成できるものを用いることができる。
【００２６】
請求項３および４記載の発明の場合、特に可とう性網状補強材は可とう性を有するため盛土の変位に追従し、しかも盛土の保持力に非常にすぐれているため、また可とう性金属線材を用いるため高分子材料のように大きな伸びを生ずることがないため、補強土壁構造物の変形が少なく、簡易な壁面材を用いても壁体全体が破壊に至ることはない。
【００２７】
また、可とう性網状補強材は壁面材に直接定着してもよいし、また上下の壁面材の間に挟み込んでもよいし、さらには壁面材に形成された溝に挿入した棒状材または鉄筋グリッド等の連結材を介して定着してもよい。
【００２８】
また、壁面材としてコンクリートパネル、コンクリートブロックを積層する場合、例えば横方向に隣接する各段の壁面材間の目地部が上下方向に連続しないで左右に交互にずれる、いわゆる「やぶれ目地」となるように、各段の壁面材を積層し、これに伴い各段の壁面材の上端部に突設された突起部が、その上側に積層された壁面材間に設けられた各空洞部とそれぞれ係合することで、上下壁面材どうしを突起部と空洞部が係合する、いわゆる「インターロッキング方式」により横ずれしないように接合することができ、同時に上下壁面材間に盛土補強材の端部を「インターロッキング方式」によって定着することができる。
【００２９】
このように壁面材どうしおよび壁面材と盛土補強材とをインターロッキング方式によって接合し、定着することにより背面土圧や地盤荷重に対してわずかの変位を許容しながら各部材が外れにくい構造とすることができるため、壁面材に対しても盛土補強材の定着部においても応力が集中しにくく、しかも破壊しにくい補強土構造とすることができる。
【００３０】
なお、本願発明で用いられる壁面材としては、基本的に運搬時などの取り扱い易さ、施工性などを考慮して通常、高さｈが２０〜６０ｃｍ、幅ｗが３０〜１００ｃｍ、奥行きｄが２０〜６０ｃｍ程度、さらに重さが２０〜１５０Ｋｇ程度のコンクリートパネルまたはコンクリートブロックを用いることができる。
【００３１】
また、鋼繊維、炭素繊維などの補強繊維を混入したコンクリートから成形された乾式パネルや乾式ブロックを用いることもできる。
【００３２】
さらに、鉄筋グリットや金網なども本願発明の壁面材として用いることができる。特に鉄筋グリットや金網を用いる場合、盛土の壁面を覆う壁面部とこの壁面部の下端部から盛土内に水平に突設された水平部とから自立できるようにＬ字状に形成することにより、盛土表層部に設置する際に安定性にすぐれ、施工しやすくかつ盛土表層部を補強でき、盛土表層部が変位しにくい。
【００３３】
また、盛土の表層部を覆う壁面部とこの壁面部の上端部と下端部から盛土内に水平に突設された水平部とからコの字状に形成してもよい。さらに、壁面部に緑化マット、またはコンクリートブロック、自然石あるいは合成樹脂ブロック等からなる化粧ブロックを設置することにより盛土表層部の緑化や仕上げを簡単に行うことができる。さらに、かご状に形成されたものも壁面材として用いることができる。
【００３４】
また、上述するような鉄筋グリットや金網を壁面材として用いた場合、可とう性網状補強材の端部を定着する方法としては、可とう性網状補強材の端部を壁面材に直接結束してもよく、あるいは壁面材の内側で巻き込んで定着してもよく、さらには上下の壁面材の間に可とう性網状補強材の端部を敷き込み、壁面材と可とう性網状補強材との摩擦によって定着してもよい。
【００３５】
請求項５記載の補強土壁構造物は、請求項１または２記載の補強土壁構造物において、可とう性網状補強材の先端側を盛土内に巻き込んで定着してなることを特徴とするものである。
【００３６】
請求項６記載の補強土壁構造物は、請求項１または２記載の補強土壁構造物において、可とう性網状補強材の端部を巻き込み、その中に土のうを設置してなることを特徴とするものである。
【００３７】
この場合の土のうとしては、植物の種子、土壌（腐葉土）、保水剤および栄養剤を充填した土のうを用いることで、壁面の緑化を図ることができる。
【００３８】
請求項７記載の補強土壁構造物の施工方法は、壁面材を積層しつつ一定の層厚ごとに盛土を撒き出し、該盛土内に一定の層厚ごとに可とう性網状補強材を複数層に埋設してなる補強土壁構造物の施工方法において、前記可とう性網状補強材の盛土側をその上に盛土を撒き出し、転圧して固定し、次に前記可とう性網状補強材の壁面材側を該壁面材の背部に取り付けられた定着部材に定着し、該定着部材を壁面材側に移動させて可とう性網状補強材を緊張することを特徴とするものである。
【００３９】
請求項８記載の補強土壁構造物の施工方法は、請求項７記載の補強土壁構造物の施工方法において、可とう性網状補強材の盛土側を凹凸状に起伏させて埋設することを特徴とするものである。
【００４０】
請求項７および８記載の発明は、特に各壁面材の背部に取り付けられた定着部材が壁面材側に移動できるように取り付けられていることで、可とう性網状補強材を布設した後からでも、可とう性網状補強材に必要な張力を簡単に導入することができるものである。
【００４１】
この場合の定着部材の取付け方法としては、例えば壁面材の背部に複数の定着用アームを水平に突設し、一方定着部材に貫通孔を形成し、この貫通孔に定着用アームの端部を貫通させるとともにその先端部に定着ナットを螺合する。そして、この定着ナットを壁面材側に締め付けることにより定着部材を壁面材側に移動させてその位置を壁面材方向に変えられるようにしてもよい。
【００４２】
定着部材がこのように取り付けられていることで、可とう性網状補強材を敷設するとともに定着領域に盛土を撒き出し、転圧して可とう性網状補強材の盛土側を固定した後、壁面材側を定着部材に定着し、定着ナットを締め付けることによって可とう性網状補強材に必要な張力を導入して緊張させることができる。その上でゆるみ領域（定着部材と定着領域との間）の上に盛土し、転圧する。
【００４３】
これによって可とう性網状補強材のゆるみによって生ずる過大の伸びを生じにくくすることができる。その結果、盛土によって生ずる可とう性網状補強材の伸びによる引張力が効果的に盛土に付与されることになる。
【発明の効果】
【００４４】
本願発明は、特に可とう性網状補強材が、複数の可とう性金属線材を補強土壁の連続方向に並列に延在すると共に、該可とう性金属線材に作用する張力によって網目が縮径するように隣り合う各可とう性金属線材どうしを一定間隔おきにねじり寄り合わせるか、または絡み合わせて網状に形成されているため、盛土の沈下や移動などによって可とう性網状補強材に引張力Ｐが作用した場合、可とう性網状補強材の各可とう性金属線材が各交差部において金属線材の軸方向にスライドして各網目ａが縮径することにより、すなわち、各網目ａがわずかであるが絞り込まれることにより各網目ａ内の土粒子ｂがクサビ状に締め固められ、このクサビ状に締め固められた土粒子ｂのクサビ作用によって引張力Ｐによる可とう性網状補強材の伸びや変形が初期のうちから抑制される。
【００４５】
また、引張力Ｐは各網目ａ内でクサビ状に締め固められた無数の土粒子ｂに均等に分散されるため、可とう性網状補強材が応力集中によって部分的に破断することもない。
【００４６】
さらに、可とう性網状補強材に作用する引張力Ｐによって各網目ａが縮径して網目ａ内の土粒子とかみ合い、引張力Ｐによる可とう性網状補強材の伸びや変形が抑制され、可とう性網状補強材に引き抜き抵抗力Ｆが発生して引張り強度が付与されるため、盛土の転圧の際および転圧後の可とう性網状補強材の伸びや変形が抑制される。
【００４７】
図４（ａ），（ｂ），（ｃ）は、本願発明における可とう性網状補強材の各網目内の単位補強体Ｖと引き抜き抵抗力Ｆｉの作用の原理を示したものである。
【００４８】
図において、単位補強体Ｖの引き抜き抵抗力Ｆｉは、可とう性金属線材ｎの盛土に対する摩擦抵抗力と可とう性金属線材ｎの前面にくさび状に形成された単位支圧部ｍに作用する受働土圧による引き抜き抵抗力Ｆｐとの和となる。
【００４９】
また、引き抜き抵抗力Ｆｉは単位支圧部の上下に作用する盛土との摩擦抵抗力Ｆａと単位支圧部の前面の支圧抵抗力Ｆｂとの和となる。なお、符号ＷとＡはそれぞれ、各網目の幅と可とう性網状補強材ｎの径を示している。
【００５０】
この場合、可とう性金属線材ｎが補強土壁の延長方向に並列に延在し、引張力Ｐに対して横方向に継ぎ目がないように連続しているため、引張力Ｐが可とう性金属線材ｎに均等に分布し、かつ強固な支圧部が形成されることで、大きな引き抜き抵抗力Ｆｉが得られる。
【００５１】
しかも、並列に隣接する可とう性金属線材ｎ，ｎの各交点部は、剛に固定されないで、可とう性金属線材ｎ，ｎどうしが互いに単にねじり寄り合わせるか、または絡み合わせてあるのみで可動性を有しているため、金属グリッド等のように大きな曲げ応力が生ずることはない。
【００５２】
よって、本願発明によれば、盛土の沈下、移動および壁面材の変位等を抑えることができ、非常に安定した補強土壁構造物を構築することができる。
【発明を実施するための最良の形態】
【００５３】
図１〜図３は、道路や敷地などに面する擁壁として構築された補強土壁構造物の一例を示し、図において、符号１は擁壁面２を構築するために複数段に積層されたコンクリート製の壁面パネル（以下「壁面パネル」という）、３は擁壁面２の背部に土砂などの盛土を撒き出して形成された盛土層である。
【００５４】
また、符号４は盛土層３の安定と強度を高め、かつ各壁面パネル１を固定するために盛土層３内に盛土補強材として複数層に埋設された可とう性網状補強材である。
【００５５】
壁面パネル１は鉄筋コンクリートまたは鋼繊維、炭素繊維などの補強繊維を混入した繊維補強コンクリートから矩形板状に形成されている。また、各壁面パネル１の背面部に可とう性網状補強材４の壁面側の端部４ａを定着する定着金具５，５が上下二段に突設されている。定着金具５は帯鋼や溝形鋼、あるいは山形鋼などから形成されている。
【００５６】
可とう性網状補強材４は、複数の可とう性金属線材４ｂ，４ｂを擁壁面２に沿って並列に延材し、かつ隣接する可とう性金属線材４ｂ，４ｂどうしを所定間隔おきに絡み合わせて、またはねじり寄り合わせて各網目ａがきっ甲状（六角形状）形成されたきっ甲金網（図２参照）または菱目金網（図３参照）から面状または帯状に形成されている。
【００５７】
また可とう性網状補強材４は、各可とう性金属線材４ｂ，４ｂを擁壁面２（各壁面パネル１）の横方向に沿って延長させて、盛土層３内に複数層に埋設されている。
【００５８】
こうして埋設された各可とう性網状補強材４の壁面側の端部４ａに、溝形鋼などからなる定着バー６が溶接または巻き付ける等して取り付けられ、また定着バー６は定着金具５に複数の定着ボルト７によってボルト止めされ、こうして各可とう性網状補強材４の壁面側の端部４ａが壁面パネル１の背面部にそれぞれ定着されている。
【００５９】
なお、可とう性網状補強材４の端部４ａを壁面パネル１に定着する方法は、特に限定されるものではなく、他の定着方法として上下の壁面パネル１，１間に可とう性網状補強材４の端部４ａを単に挟み込む等の方法でもよい。
【００６０】
図５（ａ）〜（ｃ）は、補強土壁構造物の他の例を示し、図において、各壁面パネル１の背面側に定着バー６が壁面パネル１の面外方向（補強土壁構造物の延長方向に対して直角方向）に移動できるように取り付けられ、この定着バー６に可とう性網状補強材４の端部４ａが定着されている。
【００６１】
この場合、壁面パネル１の背面部に複数のアンカー金具１ａ，１ａが上下方向および横方向に所定間隔をおいて突設され、このアンカー金具１ａ，１ａにそれぞれ定着用アーム１ｂ，１ｂの一端側が定着ボルト１ｃ，１ｃによって上下方向に回転自在に突設されている。
【００６２】
一方、定着バー６の両端部に貫通孔（図省略）が形成され、この貫通孔に定着用アーム１ｂ，１ｂの他端側をそれぞれ貫通させるとともにその先端部に定着ナット１ｄ，１ｄがそれぞれ螺合されている。そして、定着ナット１ｄ，１ｄを壁面パネル１側に締め付けることにより、定着バー６を壁面パネル１側に移動させてその位置を壁面パネル１側に移動できるようになっている。
【００６３】
このような構成において、施工に際しては、可とう性網状補強材４を敷設するとともに可とう性網状補強材４の定着領域Ａに盛土を撒き出し、転圧して可とう性網状補強材４の定着領域Ａ側を固定した後、端部４ａを定着バー６に巻き付けて定着する。
【００６４】
そして、定着ナット１ｄ，１ｄを壁面パネル１側に締め付けて定着バー６を壁面パネル１側に移動させることにより、可どう性網状補強材４に必要な張力を導入して緊張させる。また、可とう性網状補強材４のゆるみ領域（定着バー６と定着領域との間）Ｂの上に盛土し、転圧する。
【００６５】
なお、可とう性網状補強材４の他端を定着領域Ａで折り返し、その上に盛土し、転圧して固定してもよい。これにより、可とう性網状補強材４のゆるみによって生ずる過大の伸びを生じにくくすることができる。その結果、上載盛土によって生ずる可とう性網状補強材４の伸びによる引張力が効果的に盛土に付与されることになる。
【００６６】
図６（ａ），（ｂ）は、道路や敷地などに面する擁壁として構築された補強土壁構造物の他の例を示し、特に擁壁面２がコンクリート製の壁面ブロック８を複数段に積層することにより形成されている。
【００６７】
壁面ブロック８は、壁面パネルと同様に鉄筋コンクリートまたは鋼繊維、炭素繊維などの補強繊維を混入した繊維補強コンクリートから自立性を有するように直方体形状に形成されている。
【００６８】
また、上端部に定着溝８ａが形成され、定着溝８ａに各可とう性網状補強材４の端部４ａに取り付けられた定着バー６を挿入することにより、各可とう性網状補強材４の端部４ａは上下の壁面パネル８，８間に定着されている。なお、この場合の定着バー６は横方向に隣接する複数の壁面パネル８，８の定着溝８ａ，８ａ間に連続して挿入されている。
【００６９】
図７〜図１１は、同じく道路や敷地などに面する擁壁として構築された補強土壁構造物の他の例を示し、符号９は擁壁面２を構成するために複数段に積層された壁面ブロックである。
【００７０】
壁面ブロック９は、例えば図７（ｃ）に図示するように、表面フランジ９ａ、背面フランジ９ｂおよびウェブ９ｃをそれぞれ有し、そのままでもきわめて安定して自立できる平面ほぼＨ形状（または１形状）に一体的に形成されている。
【００７１】
また、表面フランジ９ａまたは背面フランジ９ｂ、あるいは表面フランジ９ａおよび背面フランジ９ｂの上端部に定着溝９ｄがそれぞれ形成されている。定着溝９ｄはそれぞれ表面フランジ９ａおよび背面フランジ９ｂの長手方向に連続して形成されている。
【００７２】
図１１は、同じく道路や敷地などに面する擁壁として構築された補強土壁構造物の他の例を示し、特に符号９は表面フランジ９ａとウェブ９ｃをそれぞれ有し、そのままでもきわめて安定して自立できる平面ほぼＴ形状に一体的に形成されている。また、表面フランジ９ａの上端部に定着溝９ｄが表面フランジ９ａの長手方向に連続して形成されている。
【００７３】
そして、いずれの補強土壁構造物においても、可とう性網状補強材４の端部４ａは、該端部４ａに取り付けられた定着バー６を定着溝９ｄに挿入することにより定着されている。
【００７４】
なお、図８（ｂ）は可とう性網状補強材４の端部４ａ、すなわち可とう性金属線材４ｂを定着溝９ｄに直接挿入して壁面ブロック９に定着されている例を示し、また図９（ｂ）は可とう性網状補強材４の端部４ａが鉄筋グリッド等からなる定着金具１０を介して壁面ブロック９に定着されている例を示したものである。
【００７５】
図１２（ａ）〜（ｈ）は壁面ブロックの変形例を示し、例えば図１２（ａ）、（ｂ）、（ｅ）、（ｆ）、（ｇ）に図示する壁面ブロックの場合、符号９ｅと９ｆは積層された上下壁面ブロックを一体化させるためのキーとキー孔であり、この係合キー９ｅとキー孔９ｆとを係合させることで強固な壁面を構築することができる。
【００７６】
また、図１２（ｃ），（ｈ）の例では、壁面ブロックを積層した際、突起９ｇがその上側に位置する壁面ブロックの表面フランジと背面フランジ間に係合することで、係合キー９ｅと同様の働きを有し、また、符号９ｈは表面フランジ９ａの上端部に形成された客土充填用孔であり、この客土充填用孔９ｈに植裁を施すことにより壁面を緑化することができる。
【００７７】
また、図１２（ｃ），（ｄ）の例では、積層された上下壁面ブロックどうしを上下または上下および左右に一体的に連結できるように形成された壁面ブロックを示し、また図１２（ｃ）の例の場合、表面フランジ９ａの上端部に連結溝９ｉが形成され、この連結溝９ｉに定着バー６が複数の壁面ブロック９，９間に跨がって挿入されることで横方向に隣接する複数の壁面ブロック９どうしを連結することができる。
【００７８】
なお、図１２（ｃ）の例においては、特に連結溝９ｉ内に定着バー６を挿入した後、連結溝９ｉ内に早強セメント等の固結材を充填すれば、壁面ブロック９どうしが一体に連結された壁面を形成することができる。
【００７９】
さらに、図１２（ｄ）の例の場合、各壁面ブロック９の表面フランジ９ａの上端部と下端部に互いに嵌合し合う嵌合突起９ｊと嵌合溝９ｋが形成され、この係合突起９ｊと係合溝９ｋが嵌合し合うことで積層された壁面ブロック９どうしが上下および左右に連結された壁面を形成することができる。
【００８０】
このように形成された壁面ブロックは横方向に互いに隣接し、かつ複数段に積層されている。また、必要に応じて各段または数段おきに後退させることにより階段状に積層されている。
【００８１】
またこの場合、各段の横方向に隣接する壁面ブロック９，９間には双方の表面フランジと背面フランジとウェブとからなる空洞部が形成され、各空洞部内に砕石や礫、あるいは盛土が充填されていることで、左右および上下の壁面ブロック９，９どうしが一体化されている。
【００８２】
図１３（ａ），（ｂ）はいずれも、道路や敷地などに面する擁壁として構築された補強土壁構造物の他の例を示し、図１３（ａ）は、複数の壁面ブロック８を階段状に後退させて積層することにより壁面が階段状に形成された擁壁の例を示し、また図１３（ｂ）は、壁面が凹凸面状をなすように壁面ブロック８を交互に前後にずらして積層して形成された擁壁の例を示したものである。
【００８３】
なおこの場合、図示するように、突出した各壁面ブロック８の上端部に空洞部８ｂを設け、この空洞部８ｂに植土を充填して植栽することもできる。
【００８４】
また、図１４（ａ），（ｂ）は、いずれも可とう性網状補強材４を所定間隔おきに凹凸状（波状）に起伏させて埋設した例を示したものである。可とう性網状補強材４を所定間隔おきに凹凸状に起伏させて埋設することで、可とう性網状補強材４の引張り抵抗力を大きくしたり、あるいは盛土の転圧時に可とう性網状補強材４に必要な張力を導入することができるとともに、転圧後の可とう性網状補強材４の伸びを極力小さくすることができる。
【００８５】
図１５（ａ），（ｂ）は、同じく道路や敷地などに面する擁壁として構築された補強土壁構造物の他の例を示し、いずれも壁面パネルや壁面ブロックを用いないで構築され、特に図１５（ａ）の例においては、網目がきっ甲形またはひし形に形成された各可とう性網状補強材４の壁面側の端部４ａを一定長さ盛土表層部の盛土３ａとともに上側に巻き込むことにより壁面が形成されている。
【００８６】
また、図１５（ｂ）の例においては、各可とう性網状補強材４の壁面側の端部４ａを一定長さ上側に巻き込み、かつその中に土のう１１を巻き込むことにより壁面が形成されている。この場合、土のう１１に植生土を充填することで盛土表層部の緑化を図ることができる。土のう１１には植物の種子、土壌（腐葉土）、保水剤および栄養剤を充填した土のうを用いるのがよい。
【００８７】
また、図１６〜図１９は、壁面材として鉄筋グリットやかご材が用いられた例を示したものである。図１６〜図１８において、壁面材１２は盛土層３の壁面に沿って延びる壁面部１２ａと壁面部１２ａの下端部に水平に突設された水平部１２ｂとから自立可能なほぼＬ字状に形成され、かつ壁面部１２ａと水平部１２ｂとの間に補強材として斜材１２ｃが取り付けられている。
【００８８】
また特に、図１８の例においては、壁面部１２ａの各縦鉄筋の上端部に連結用リング１２ｄが形成され、さらに図１８の例においては、壁面部１２ａに植生マット、またはコンクリートブロック、自然石あるいは合成樹脂ブロック等からなる化粧ブロック１４が取り付けられている。
【００８９】
こうして形成された壁面材１２は盛土層３の表層部に積層され、かつ互いに連結されている。特に図１７および図１８の例においては、各壁面材１２の連結リング１２ｄを上側に位置する壁面材１２の水平部１２ｂの網目に貫通させ、かつ連結リング１２ｄに連結棒１３を挿通することにより、上下の壁面材１２どうしが互いに連結されている。
【００９０】
また、図１９（ａ）〜（ｃ）の例においては、壁面材１７は盛土層３の壁面に沿って延びる壁面部１７ａと壁面部１７ａの上端部と下端部にそれぞれ水平に突設された水平部１７ｂ，１７ｂとから自立可能なほぼ逆コ字状に形成され、かつ壁面部１７ａと下端側の水平部１７ｂとの間に斜材１７ｃが取り付けられている。このように形成された壁面材１７は盛土３の表層部に積層され、かつ互いに連結されている。
【００９１】
また特に、図１９（ｄ）の例においては、壁面材として直方体形の箱状に形成されたかご材１５が積層されている。この場合のかご材１５には鉄筋グリットや金網などから工場生産されたものや、現地で金網を曲げ加工して簡単に形成できるものが用いられ、各かご材１５の中に盛土３が充填されている。
【００９２】
上記したいずれの例においても、可とう性網状補強材４の端部４ａは、各壁面材の水平部の横鉄筋に巻き付けたり、または水平部の網目に通し、その先端に鉄筋を巻き付ける等して定着されているか、あるいは壁面材の内側において巻き込んで定着されている。
【００９３】
例えば図１６（ａ）の例において、可とう性網状補強材４の端部４ａは壁面材１２の水平部１２ｂ端部の横鉄筋に巻き付ける等して定着され、また図１６（ｂ）の例において、可とう性網状補強材４の端部４ａは壁面材１２の内側において巻き込んで定着されている。
【００９４】
また、必要に応じて壁面材１２および１７の内側には、土砂流失防止用のシートや緑化シート１６が設置されている。
【産業上の利用可能性】
【００９５】
本願発明は、盛土内に盛土補強材として埋設された可とう性網状補強材が盛土の変位に追従して盛土との一体性を有し、かつ引抜き抵抗力が非常に大きく、きわめて安定した補強土壁構造物を提供することができる。
【図面の簡単な説明】
【００９６】
【図１】道路などに面する擁壁として構築された補強土壁構造物の一例を示し、（ａ）はその一部斜視図、（ｂ）は壁面パネルおよび可とう性網状補強材の一部斜視図である。
【図２】（ａ）は道路などに面する擁壁として構築された補強土構造物の一例を示す一部平面図、（ｂ）は可とう性網状補強材の一部平面図、（ｃ）は可とう性網状補強材の網目に作用する力を示す一部平面図である。
【図３】（ａ）は道路などに面する擁壁として構築された補強土構造物の一例を示す一部平面図、（ｂ）は可とう性網状補強材の一部平面図、（ｃ）は可とう性網状補強材の網目に作用する力を示す一部平面図である。
【図４】（ａ），（ｂ），（ｃ）は可とう性網状補強材の網目の単位補強材の単位補強体の引き抜き抵抗の原理を示す説明図である。
【図５】道路などに面する擁壁として構築された補強土壁構造物の一例を示し、（ａ）はその一部平面図、（ｂ）はその一部縦断面図、（ｃ）は壁面パネルと可とう性網状補強材の定着部（連結部）を示す一部縦断面図である。
【図６】道路などに面する擁壁として構築された補強土壁構造物の一例を示し、（ａ）はその一部斜視図、（ｂ）は壁面パネルおよび可とう性網状補強材の一部斜視図である。
【図７】道路などに面する擁壁として構築された補強土壁構造物の一例を示し、（ａ）はその一部斜視図、（ｂ）はその一部平面図、（ｃ）は壁面ブロックおよび可とう性網状補強材の一部斜視図である。
【図８】（ａ），（ｂ）は壁面ブロックおよび可とう性網状補強材の一例を示す一部平面図である。
【図９】（ａ），（ｂ）は壁面ブロックおよび可とう性網状補強材の一例を示す一部斜視図である。
【図１０】壁面ブロックおよび可とう性網状補強材の一例を示す一部平面図である。
【図１１】壁面ブロックおよび可とう性網状補強材の一例を示す一部斜視図である。
【図１２】（ａ）〜（ｈ）は壁面ブロックの一例を示す斜視図である。
【図１３】（ａ），（ｂ）は補強土構造物の一部断面図である。
【図１４】（ａ），（ｂ）は補強土構造物の一部断面図である。
【図１５】（ａ），（ｂ）は道路などに面する擁壁として構築された補強土構造物の一例を示す一部断面図である。
【図１６】（ａ），（ｂ）は道路などに面する擁壁として構築された補強土構造物の一例を示す一部断面図、（ｃ）は壁面材の一例を示す斜視図である。
【図１７】（ａ）は道路などに面する擁壁として構築された補強土構造物の一例を示す一部断面図、（ｂ）は壁面材の一例を示す斜視図である。
【図１８】（ａ）は道路などに面する擁壁として構築された補強土構造物の一例を示す一部断面図、（ｂ）は壁面材の一例を示す斜視図である。
【図１９】（ａ），（ｂ）は、道路などに面する擁壁として構築された補強土構造物の一例を示す一部断面図、（ｃ）は壁面材の一例を示す斜視図、（ｄ）は壁面材としてかご材が積層された補強土構造物の一例を示す一部斜視図である。
【図２０】補強土構造物の従来例を示す一部断面図である。
【符号の説明】
【００９７】
１  壁面パネル（壁面材）
２  擁壁面
３  盛土層
４  可とう性網状補強材（盛土補強材）
５  定着金具
６  定着バー（定着部材）
７  定着ボルト
８  壁面ブロック（壁面材）
９  壁面ブロック（壁面材）
１０  定着バー
１１  土のう
１２  壁面材
１３  連結棒
１４  化粧ブロック
１５  かご材（壁面材）
１６  土砂流失防止用のシートや緑化シート
１７  壁面材
【図１】
2005146623.tif 000003
【図２】
2005146623.tif 000004
【図３】
2005146623.tif 000005
【図４】
2005146623.tif 000006
【図５】
2005146623.tif 000007
【図６】
2005146623.tif 000008
【図７】
2005146623.tif 000009
【図８】
2005146623.tif 000010
【図９】
2005146623.tif 000011
【図１０】
2005146623.tif 000012
【図１１】
2005146623.tif 000013
【図１２】
2005146623.tif 000014
【図１３】
2005146623.tif 000015
【図１４】
2005146623.tif 000016
【図１５】
2005146623.tif 000017
【図１６】
2005146623.tif 000018
【図１７】
2005146623.tif 000019
【図１８】
2005146623.tif 000020
【図１９】
2005146623.tif 000021
【図２０】
2005146623.tif 000022